【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
基台と、
人体の所定部位を支持し固定するための支持固定手段と、
該基台と該支持固定手段との間に介在され且つ該基台に対して垂直に延びる回動中心軸線を中心として所定角度範囲に亘って回動自在に装着されたヨー角微調整板と、
移動自在に配設されたヨー角微調整用入力部材、及び該ヨー角微調整用入力部材と該ヨー角微調整板との間に介在されたヨー角微調整用伝動手段を含むヨー角微調整板駆動機構と、
を具備し、
該ヨー角微調整用入力部材を移動すると該ヨー角微調整用入力部材の移動が該ヨー角微調整用伝動手段を介して該ヨー角微調整板に伝動され、該ヨー角微調整板が該回動中心軸線を中心に回動される、
ことを特徴とする医療用支持固定装置。
【請求項２】
該基台には少なくとも２個の弧状長穴が形成されており、該弧状長穴の各々の弧状中心線は単一円上に位置し、該ヨー角微調整板の裏面には該少なくとも２個の弧状長穴に対応して少なくとも２個のピンが配設されており、該ピンの各々を対応する該弧状長穴に夫々挿入することによって、該ヨー角微調整板が該基台に装着されている、請求項１記載の医療用支持固定装置。
【請求項３】
該基台には該単一円の周方向に間隔をおいて４個の該弧状長穴が形成されており、該ヨー角微調整板の裏面には４個の該弧状長穴に対応して該ピンが４個配設されている、請求項２記載の医療用支持固定装置。
【請求項４】
該ヨー角微調整用入力部材は該基台に回転自在に装着されており、該ヨー角微調整用伝動手段は減速歯車列を含む、請求項１から３までのいずれかに記載の医療用支持固定装置。
【請求項５】
該ヨー角微調整板駆動機構は該ヨー角微調整用入力部材の回転量を表示する表示器を含む、請求項４記載の医療用支持固定装置。
【請求項６】
更に、該基台と該支持固定手段との間に介在され且つ該基台の上方を該基台の幅方向に延びる回動中心軸線を中心として所定角度範囲に亘って回動自在に装着されたチルト角微調整板と、
移動自在に装着されたチルト角微調整用入力部材、及び該チルト角微調整用入力部材と該チルト角微調整板との間に介在されたチルト角微調整用伝動手段を含むチルト角微調整板駆動機構と、
を具備し、
該チルト角微調整用入力部材を移動すると、該チルト角微調整用入力部材の移動が該チルト角微調整用伝動手段を介して該チルト角微調整板に伝動され、該チルト角微調整板が該回動中心軸線を中心として回動される、
請求項１から５までのいずれかに記載の医療用支持固定装置。
【請求項７】
該ヨー角微調整板の上面には少なくとも２個の案内部材が固定されており、該チルト角微調整板の裏面には該２個の案内部材に対応して２個の被案内部材が固定されており、該案内部材の上面は凹状弧状面であり該被案内部材の下面は凸状弧状面であり且つ該凹状弧状面と該凸状弧状面は単一円筒面上に位置し、該被案内部材の該凸状弧状面を該案内部材の該凹状弧状面に係合させて、該ヨー角微調整板に該チルト角微調整板が装着されており、該支持固定手段は該チルト角微調整板上に装着されている、請求項６記載の医療用支持固定装置。
【請求項８】
該チルト角微調整用入力部材は該ヨー角微調整板に回転自在に装着されており、該チルト角微調整用伝動手段は複数個の減速歯車を含む、請求項７記載の医療用支持固定装置。
【請求項９】
該チルト角微調整板駆動機構は該チルト角微調整用入力部材の回転量を表示する表示器を含む、請求項８記載の医療用支持固定装置。
【請求項１０】
基台と、
人体の所定部位を支持し固定するための支持固定手段と、
該基台と該支持固定手段との間に介在され且つ該基台の上方を該基台の幅方向に延びる回動中心軸線を中心として所定角度範囲に亘って回動自在に装着されたチルト角微調整板と、
移動自在に装着されたチルト角微調整用入力部材、及び該チルト角微調整用入力部材と該チルト角微調整板との間に介在されたチルト角微調整用伝動手段を含むチルト角微調整板駆動機構と、
を具備し、
該チルト角微調整用入力部材を移動すると、該チルト角微調整用入力部材の移動が該チルト角微調整用伝動手段を介して該チルト角微調整板に伝動され、該チルト角微調整板が該回動中心軸線を中心として回動される、
ことを特徴とする医療用支持固定装置。
【請求項１１】
該基台の上面には少なくとも２個の案内部材が固定されており、該チルト角微調整板の裏面には該２個の案内部材に対応して２個の被案内部材が固定されており、該案内部材の上面は凹状弧状面であり該被案内部材の下面は凸状弧状面であり且つ該凹状弧状面と該凸状弧状面は単一円筒面上に位置し、該被案内部材の該凸状弧状面を該案内部材の該凹状弧状面に係合させて、該基台に該チルト角微調整板が装着されている、請求項１０記載の医療用支持固定装置。
【請求項１２】
該チルト角微調整用入力部材は該基台に回転自在に装着されており、該チルト角微調整用伝動手段は減速歯車列を含む、請求項１１記載の医療用支持固定装置。
【請求項１３】
該チルト角微調整板駆動機構は該チルト角微調整用入力部材の回転量を表示する表示器を含む、請求項１２記載の医療用支持固定装置。
【請求項１４】
更に、該チルト角微調整板に対して垂直に延びる回動中心軸線を中心として所定角度範囲に亘って回動自在に装着されたヨー角微調整板と、
移動自在に配設されたヨー角微調整用入力部材、及び該ヨー角微調整用入力部材と該ヨー角微調整板との間に介在されたヨー角微調整用伝動手段を含むヨー角微調整板駆動機構と、
を具備し、
該チルト角微調整板には少なくとも２個の弧状長穴が形成されており、該弧状長穴の各々の弧状中心線は単一円上に位置し、該ヨー角微調整板の裏面には該少なくとも２個の弧状長穴に対応して少なくとも２個のピンが配設されており、該ピンの各々を対応する該弧状長穴に夫々挿入することによって、該ヨー角微調整板が該チルト角微調整板に装着されており、
該支持固定手段は該ヨー角微調整板上に装着されており、
該ヨー角微調整用入力部材を移動すると該ヨー角微調整入力用部材の移動が該ヨー角微調整用伝動手段を介して該ヨー角微調整板に伝動され、該ヨー角微調整板が該回動中心軸線を中心に回動される、
請求項１０から１３までのいずれかに記載の医療用支持固定装置。
【請求項１５】
該チルト角微調整板には該単一円の周方向に間隔をおいて４個の該弧状長穴が形成されており、該ヨー角微調整板の裏面には４個の該弧状長穴に対応して該ピンが４個配設されている、請求項１４記載の医療用支持固定装置。
【請求項１６】
該ヨー角微調整用入力部材は該チルト角微調整板に回転自在に装着されており、該ヨー角微調整用伝動手段は減速歯車列を含む、請求項１４又は１５記載の医療用支持固定装置。
【請求項１７】
該ヨー角微調整板駆動機構は該ヨー角微調整用入力部材の回転量を表示する表示器を含む、請求項１６記載の医療用支持固定装置。
【手続補正２】
【補正対象書類名】明細書
【補正対象項目名】０００３
【補正方法】変更
【補正の内容】
【０００３】
【特許文献１】特開平６−７４６３号公報
【手続補正３】
【補正対象書類名】明細書
【補正対象項目名】０００６
【補正方法】変更
【補正の内容】
【０００６】
本発明者は、鋭意検討の結果、基台と人体の所定部位を支持固定するための支持固定手段との間にヨー角微調整板及び／又はチルト角微調整板を介在せしめ、かかるヨー角微調整板及び／又はチルト角微調整板を所要回動中心軸線を中心として所定角度範囲に亘って回動自在に装着すると共に、ヨー角微調整板及び／又はチルト角微調整板に関して、入力部材及び伝動手段を含むヨー角微調整板駆動機構及び／又はチルト角微調整板駆動機構を配設することによって、上記主たる技術的課題を達成することができることを見出した。
【手続補正４】
【補正対象書類名】明細書
【補正対象項目名】０００７
【補正方法】変更
【補正の内容】
【０００７】
即ち、本発明の一局面によれば、上記主たる技術的課題を達成する医療用支持固定装置として、
基台と、
人体の所定部位を支持し固定するための支持固定手段と、
該基台と該支持固定手段との間に介在され且つ該基台に対して垂直に延びる回動中心軸線を中心として所定角度範囲に亘って回動自在に装着されたヨー角微調整板と、
移動自在に配設されたヨー角微調整用入力部材、及び該ヨー角微調整用入力部材と該ヨー角微調整板との間に介在されたヨー角微調整用伝動手段を含むヨー角微調整板駆動機構と、
を具備し、
該ヨー角微調整用入力部材を移動すると該ヨー角微調整用入力部材の移動が該ヨー角微調整用伝動手段を介して該ヨー角微調整板に伝動され、該ヨー角微調整板が該回動中心軸線を中心に回動される、
ことを特徴とする医療用支持固定装置が提供される。
【手続補正５】
【補正対象書類名】明細書
【補正対象項目名】０００８
【補正方法】変更
【補正の内容】
【０００８】
好ましくは、該基台には少なくとも２個の弧状長穴が形成されており、該弧状長穴の各々の弧状中心線は単一円上に位置し、該ヨー角微調整板の裏面には該少なくとも２個の弧状長穴に対応して少なくとも２個のピンが配設されており、該ピンの各々を対応する該弧状長穴に夫々挿入することによって、該ヨー角微調整板が該基台に装着されている。該基台には該単一円の周方向に間隔をおいて４個の該弧状長穴が形成されており、該ヨー角微調整板の裏面には４個の該弧状長穴に対応して該ピンが４個配設されているのが好適である。望ましくは、該ヨー角微調整用入力部材は該基台に回転自在に装着されており、該ヨー角微調整用伝動手段は減速歯車列を含む。該ヨー角微調整板駆動機構は該ヨー角微調整用入力部材の回転量を表示する表示器を含むのが好都合である。更に、該基台と該支持固定手段との間に介在され且つ該基台の上方を該基台の幅方向に延びる回動中心軸線を中心として所定角度範囲に亘って回動自在に装着されたチルト角微調整板と、移動自在に装着されたチルト角微調整用入力部材、及び該チルト角微調整用入力部材と該チルト角微調整板との間に介在されたチルト角微調整用伝動手段を含むチルト角微調整板駆動機構と、を具備し、
該チルト角微調整用入力部材を移動すると、該チルト角微調整用入力部材の移動が該チルト角微調整用伝動手段を介して該チルト角微調整板に伝動され、該チルト角微調整板が該回動中心軸線を中心として回動されるのが好ましい。好適には、該ヨー角微調整板の上面には少なくとも２個の案内部材が固定されており、該チルト角微調整板の裏面には該２個の案内部材に対応して２個の被案内部材が固定されており、該案内部材の上面は凹状弧状面であり該被案内部材の下面は凸状弧状面であり且つ該凹状弧状面と該凸状弧状面は単一円筒面上に位置し、該被案内部材の該凸状弧状面を該案内部材の該凹状弧状面に係合させて、該ヨー角微調整板に該チルト角微調整板が装着されており、該支持固定手段は該チルト角微調整板上に装着されている。望ましくは、該チルト角微調整用入力部材は該ヨー角微調整板に回転自在に装着されており、該チルト角微調整用伝動手段は複数個の減速歯車を含む。該チルト角微調整板駆動機構は該チルト角微調整用入力部材の回転量を表示する表示器を含むのが好都合である。
【手続補正６】
【補正対象書類名】明細書
【補正対象項目名】０００９
【補正方法】変更
【補正の内容】
【０００９】
本発明の他の局面によれば、上記主たる技術的課題を達成する医療用支持固定装置として、
基台と、
人体の所定部位を支持し固定するための支持固定手段と、
該基台と該支持固定手段との間に介在され且つ該基台の上方を該基台の幅方向に延びる回動中心軸線を中心として所定角度範囲に亘って回動自在に装着されたチルト角微調整板と、
移動自在に装着されたチルト角微調整用入力部材、及び該チルト角微調整用入力部材と該チルト角微調整板との間に介在されたチルト角微調整用伝動手段を含むチルト角微調整板駆動機構と、
を具備し、
該チルト角微調整用入力部材を移動すると、該チルト角微調整用入力部材の移動が該チルト角微調整用伝動手段を介して該チルト角微調整板に伝動され、該チルト角微調整板が該回動中心軸線を中心として回動される、
ことを特徴とする医療用支持固定装置が提供される。
【手続補正７】
【補正対象書類名】明細書
【補正対象項目名】００１０
【補正方法】変更
【補正の内容】
【００１０】
好ましくは、該基台の上面には少なくとも２個の案内部材が固定されており、該チルト角微調整板の裏面には該２個の案内部材に対応して２個の被案内部材が固定されており、該案内部材の上面は凹状弧状面であり該被案内部材の下面は凸状弧状面であり且つ該凹状弧状面と該凸状弧状面は単一円筒面上に位置し、該被案内部材の該凸状弧状面を該案内部材の該凹状弧状面に係合させて、該基台に該チルト角微調整板が装着されている。望ましくは、該チルト角微調整用入力部材は該基台に回転自在に装着されており、該チルト角微調整用伝動手段は減速歯車列を含む。該チルト角微調整板駆動機構は該チルト角微調整用入力部材の回転量を表示する表示器を含むのが好都合である。更に、該チルト角微調整板に対して垂直に延びる回動中心軸線を中心として所定角度範囲に亘って回動自在に装着されたヨー角微調整板と、移動自在に配設されたヨー角微調整用入力部材、及び該ヨー角微調整用入力部材と該ヨー角微調整板との間に介在されたヨー角微調整用伝動手段を含むヨー角微調整板駆動機構と、を具備し、該チルト角微調整板には少なくとも２個の弧状長穴が形成されており、該弧状長穴の各々の弧状中心線は単一円上に位置し、該ヨー角微調整板の裏面には該少なくとも２個の弧状長穴に対応して少なくとも２個のピンが配設されており、該ピンの各々を対応する該弧状長穴に夫々挿入することによって、該ヨー角微調整板が該チルト角微調整板に装着されており、該支持固定手段は該ヨー角微調整板上に装着されており、該ヨー角微調整用入力部材を移動すると該ヨー角微調整用入力部材の移動が該ヨー角微調整用伝動手段を介して該ヨー角微調整板に伝動され、該ヨー角微調整板が該回動中心軸線を中心に回動されるのが好ましい。該チルト角微調整板には該単一円の周方向に間隔をおいて４個の該弧状長穴が形成されており、該ヨー角微調整板の裏面には４個の該弧状長穴に対応して該ピンが４個配設されているのが好適である。望ましくは、該ヨー角微調整用入力部材は該チルト角微調整板に回転自在に装着されており、該ヨー角微調整用伝動手段は減速歯車列を含む。該ヨー角微調整板駆動機構は該ヨー角微調整用入力部材の回転量を表示する表示器を含むのが好都合である。
【手続補正８】
【補正対象書類名】明細書
【補正対象項目名】００１７
【補正方法】変更
【補正の内容】
【００１７】
基台２に配設されている上記ヨー角微調整板駆動機構１６は、ヨー角を微調整するために基台２に対してヨー角微調整板６を上記回動中心軸線２２を中心として回動するためのものである。図１及び図２と共に図５を参照して説明を続けると、基台２の上面には支持枠体２３が接着剤或いは締結ネジの如き適宜の手段（図示していない）によって固定されている。そして、この支持枠体２３には、基台２に対して平行に延在する軸部材２４と基台２に対して垂直に延びる軸部材２６が固定されている。軸部材２４には円筒状入力部材２８と共にウォーム歯車３０（図５においては図面の簡略化のためにウォーム歯車３０のウォーム歯の図示を省略している）が回転自在に装着されている。ヨー角微調整用入力部材を構成する入力部材２８とウォーム歯車３０とは小径円筒形状の接続部材３２によって連結されており、入力部材２８とウォーム歯車３０とは一体に回転する。軸部材２４には、更に、機械式表示器３４が固定されている。入力部材２８は表示器３４の表示機構に駆動連結されていて、入力部材２８が１回転されると、表示器３４に表示される数字が１つ増大される（表示器３４自体の構成及び入力部材２８と表示器３４の表示機構との駆動連結自体は、当業者には周知の構成でよいので、本明細書ではその詳細な説明は省略する）。軸部材２６には上記ウォーム歯車３０と係合するウォームホイール３６（図５においては図面の簡略化のためにウォームホイール３６のウォームの図示を省略している）と平歯車３８が回転自在に装着されている。ウォームホイール３６と平歯車３８とは小径円筒形状の接続部材４０によって連結されており、ウォームホイール３６と平歯車３８とは一体に回転する。一方、ヨー角微調整板６の裏面には弧状平歯車４２が締結ネジの如き適宜の締結手段（図示していない）によって固定されており、この平歯車４２が上記平歯車３８に係合されている。かような次第であるので、入力部材２８を手動で回転すると、入力部材２８のかかる回転がウォーム歯車３０、ウォームホイール３６、平歯車３８及び平歯車４２を介してヨー角微調整板６に伝動されヨー角微調整板６が回動される。入力部材２８とヨー角微調整板６との間のヨー角微調整用伝動手段を構成する減速歯車列、即ちウォーム歯車３０、ウォームホイール３６、平歯車３８及び平歯車４２による減速比は例えば３６０：１に設定することができ、かくすると手動にて入力部材２８を１回転するとヨー角微調整板６が１度回動され、ヨー角が１度変更される。
【手続補正９】
【補正対象書類名】明細書
【補正対象項目名】００２２
【補正方法】変更
【補正の内容】
【００２２】
ヨー角微調整板駆動機構１６の場合と同様に、チルト角微調整板駆動機構５４においても、入力部材７２は手動にて回動されるが、所望ならば電動モータの如き適宜の駆動源によって入力部材７２を回動することもできる。また、機械式表示器７８に代えて液晶表示器の如き他の適宜の形態の表示器を使用することもできる。